(57)【要約】【課題】ウォブル信号増幅回路の増幅率をグルーブウォブリングの検出に適正な増幅率にする。また、その場合であっても光ディスクのマウントに時間増加が無く、簡易な構成の光ディスク装置を提供する。【解決手段】光ディスク装置１のＰＵヘッド２は、光ディスク１００のレーザ反射光からＲＦ信号とウォブル信号を検出する。制御部３０は光ディスク１００のマウント時に、光ディスク１００の反射率に基づいて、ディスク種別を検出するとともに、ウォブルゲインテーブル１２からウォブルゲインを検定する。再生処理部２０のウォブル信号増幅回路６は、ＰＵヘッド２から入力されるウォブル信号と、制御部３０から入力されるゲイン設定信号から、ウォブル信号を所定のウォブルゲインで増幅し出力する。【選択図】図１
2007115333.tif 000002
【特許請求の範囲】
【請求項１】
光ディスクのデータ記録面にレーザ光を照射し、その反射光から得られる読取信号を増幅し、所定のレベルの出力信号を出力する読取信号増幅回路と、前記反射光から得られるウォブル信号を所定の増幅率で増幅し出力するウォブル信号増幅回路と、前記ウォブル信号増幅回路の増幅率を指示するウォブル信号増幅率指示手段と、光ディスクのマウント時に、光ディスクの反射率に基づいてディスク種別を検出するディスク種別検出手段とを備える光ディスク装置において、
前記ウォブル信号増幅率指示手段は、光ディスクの反射率とウォブル信号増幅回路に指示する増幅率とを予め対応付けたテーブルを有し、前記ディスク種別検出手段で取得した光ディスクの反射率に対応した前記ウォブル信号増幅回路の増幅率を前記テーブルから検出して指示することを特徴とする光ディスク装置。
【請求項２】
光ディスクのデータ記録面にレーザ光を照射し、その反射光から得られる読取信号を増幅し、所定のレベルの出力信号を出力する読取信号増幅回路と、前記反射光から得られるウォブル信号を所定の増幅率で増幅し出力するウォブル信号増幅回路と、前記ウォブル信号増幅回路の増幅率を指示するウォブル信号増幅率指示手段とを備える光ディスク装置において、
前記ウォブル信号増幅率指示手段は、光ディスクの反射率に応じて前記ウォブル信号増幅回路の増幅率を指示することを特徴とする光ディスク装置。
【請求項３】
光ディスクのマウント時に、光ディスクの反射率に基づいてディスク種別を検出するディスク種別検出手段を有し、
前記ウォブル信号増幅率指示手段は、前記ディスク種別検出手段で取得した光ディスクの反射率に応じて前記ウォブル信号増幅回路の増幅率を指示することを特徴とする請求項２に記載の光ディスク装置。
【請求項４】
前記ウォブル信号増幅率指示手段は、光ディスクの反射率と前記ウォブル信号増幅回路に指示する増幅率とを予め対応付けたテーブルを有し、前記ウォブル信号増幅回路の増幅率を前記テーブルから検出して指示することを特徴とする請求項２又は３に記載の光ディスク装置。
【発明の詳細な説明】
【技術分野】
【０００１】
本発明は、光ディスク装置におけるウォブル信号やランドプリピット信号などの検出技術に関するものである。
【背景技術】
【０００２】
一般に情報記録媒体として用いられる光ディスクには、情報を記録する時の記録位置を検出するために必要なランドプリピット（ＬＰＰ）信号やウォブル信号などが予め記録されている。ＬＰＰ信号は、グルーブとグルーブの間のランドに予めピットとして記録されるものである。また、ウォブル信号は、グルーブを光ディスクの周方向に所定周期で揺動するように形成するグルーブウォブリングにより予め記録されるものである。
【０００３】
従来の光ディスク装置では、光ディスクにレーザ光を照射し、レーザ反射光を検出することで、複数の光量信号を生成する。そして、複数の光量信号に所定の減算処理を施して差動信号を生成し、この作動信号からＬＰＰ信号とウォブル信号とを検出していた。
【０００４】
差動信号は、振幅レベルを調整するために、ＡＧＣ（Automatic Gain Control）回路などの増幅回路（以下、ウォブル信号増幅回路という。）により増幅し、ＬＰＰ信号とウォブル信号とを検出していた。
【０００５】
このような構成において、ＬＰＰ信号とウォブル信号とを検出するためにはウォブル信号増幅回路の増幅率を適切に設定する必要があった。そこで、従来は光ディスクのマウント時に、ＲＦ信号の増幅率（ＲＦゲイン）の大きさに応じたウォブル信号増幅回路の増幅率を予め設定していた。
【０００６】
また、特許文献１には、光ディスクからのデータ記録／再生時に、２つのウォブル信号増幅回路の出力信号が一定の振幅レベルでバランスするように２つのウォブル信号増幅回路それぞれの増幅率を変化させる構成が開示されている。
【特許文献１】特開２００５−１１６０４６号公報
【発明の開示】
【発明が解決しようとする課題】
【０００７】
しかしながら、従来のようにＲＦゲインに応じて、ウォブル信号増幅回路の増幅率を設定する場合には、ウォブル信号増幅回路の出力信号が適正な振幅レベルにならないことがあった。
【０００８】
ＲＦ信号は光ディスクの記録トラックを読み取る信号であるため、ＲＦ信号増幅回路では記録トラックの検出感度に合わせてＲＦゲインが設定される。一方、ウォブル信号は光ディスクのグルーブウォブリングを読み取る信号であるため、光ディスクの記録トラックの有無による影響がないほうが望ましいものであった。従って、従来のようにＲＦゲインに応じてウォブル信号増幅回路の増幅率を設定すると、光ディスクの記録トラックの影響が大きく、時としてウォブル信号増幅回路の出力信号が適正な振幅レベルにならないことがあった。
【０００９】
また仮に、ウォブル信号増幅回路の増幅率を段階的な値（離散値）に設定するよう処理する場合には、光ディスクの記録トラックの影響で、適正な値から大きくずれた増幅率が設定されることがあった。
【００１０】
本発明はこのような従来の課題を解決しようとするものであり、ウォブル信号増幅回路の出力信号がグルーブウォブリングの検出に適正な信号レベルになり、ウォブル信号やＬＰＰ信号を安定して検出できる光ディスク装置を提供することを目的とする。
【００１１】
また、この発明の他の目的は、マウント時における時間増加が生じない、簡易な構成の光ディスク装置を提供することである。
【課題を解決するための手段】
【００１２】
本発明の光ディスク装置は、前記課題を解決するために以下の構成を備えている。
【００１３】
（１）光ディスクのデータ記録面にレーザ光を照射し、その反射光から得られる読取信号を増幅し、所定のレベルの出力信号を出力する読取信号増幅回路と、前記反射光から得られるウォブル信号を所定の増幅率で増幅し出力するウォブル信号増幅回路と、前記ウォブル信号増幅回路の増幅率を指示するウォブル信号増幅率指示手段とを備える光ディスク装置において、
前記ウォブル信号増幅率指示手段は、光ディスクの反射率に応じて前記ウォブル信号増幅回路の増幅率を指示する。
【００１４】
この構成では、読取信号増幅回路の増幅率（ＲＦゲイン）によらずに、光ディスクの反射率に応じてウォブル信号増幅回路の増幅率を設定する。これにより、ウォブル信号増幅回路の出力信号がグルーブウォブリングの検出に適正な振幅レベルになり、光ディスクの記録トラックの影響を除いて、ウォブル信号やＬＰＰ信号を安定して検出できる。
【００１５】
（２）光ディスクのマウント時に、光ディスクの反射率に基づいてディスク種別を検出するディスク種別検出手段を有し、
前記ウォブル信号増幅率指示手段は、前記ディスク種別検出手段で取得した光ディスクの反射率に応じて前記ウォブル信号増幅回路の増幅率を指示する。
【００１６】
この構成では、光ディスクの種別、例えば、ＣＤ−ＲＯＭ、ＣＤ−Ｒ、ＤＶＤ−ＲＯＭ、ＤＶＤ−Ｒ、ＤＶＤ＋Ｒなどの種別を、レーザ光の反射率から検出し、この光ディスクの反射率に応じてウォブル信号増幅回路の増幅率を指示する。これにより、一度の反射率の取得で、光ディスクの種別検出と、ウォブル信号増幅回路の増幅率の設定が行える。したがって、マウント時における時間増加が生じず、速やかに光ディスクをマウントできる。
【００１７】
（３）前記ウォブル信号増幅率指示手段は、光ディスクの反射率と前記ウォブル信号増幅回路に指示する増幅率とを予め対応付けたテーブルを有し、前記ウォブル信号増幅回路の増幅率を前記テーブルから検出して指示する。
【００１８】
この構成では、光ディスクの反射率に対応付けた、ウォブル信号増幅回路の増幅率を、予めテーブルとして記憶しておくため、簡易な構成で、ウォブル信号増幅回路の出力信号がグルーブウォブリングの検出に適正な振幅レベルにでき、光ディスクの記録トラックの影響を除いて、ウォブル信号やＬＰＰ信号を安定して検出できる。
【発明の効果】
【００１９】
この発明によれば、ウォブル信号増幅回路の出力信号を、グルーブウォブリングの検出に適正な振幅レベルに設定できる。また、光ディスクの記録トラックによる影響を除いて、ウォブル信号やＬＰＰ信号を安定して検出できる。また、時間増加が生じず光ディスクをマウントでき、簡易な構成の光ディスク装置を提供できる。
【発明を実施するための最良の形態】
【００２０】
以下、本発明の実施形態である光ディスク装置について説明する。
図１は、光ディスク装置１の構成の一部を示すブロック図である。光ディスク装置１は、本体の動作を制御する制御部３０と、光ディスク１００にレーザ光を照射し、その反射光を検出するピックアップ（ＰＵ）ヘッド２と、光ディスク１００に記録されているデータの読取を行う再生処理部２０とを備えている。
【００２１】
ここで、ＰＵヘッド２について説明する。ＰＵヘッド２は、公知の光ディスク装置と同様に、図示していないレーザダイオード、コリメータレンズ、ビームスプリッタ、対物レンズ、フォトディテクタなどを備えている。また、光ディスク１００に照射するレーザ光の焦点をその光軸方向に移動させるフォーカシングアクチュエータ（図示せず）と、前記レーザ光を光ディスク１００の半径方向に移動させるトラッキングアクチュエータ（図示せず）とを備えている。
【００２２】
このような構成で、制御部３０および再生処理部２０によるフォーカシング制御およびトラッキング制御を行うことで、レーザ光を所望の記録トラックに追随させるとともに、その記録トラックにレーザ光の焦点を合わせる。そして、レーザダイオードから再生用の所定の強度でレーザ光を照射する。
【００２３】
ＰＵヘッド２から照射したレーザ光は、光ディスク１００のデータ記録面で反射させ、ＰＵヘッド２で検出する。一般に、光ディスクの反射率は、光ディスクの種別・ばらつき等によって変動し、例えば追記形光ディスクと書換形光ディスクとでは、反射率が異なり、又、同じ記録方式の光ディスクでも型番によって反射率が異なる。また、データ記録面には記録トラックが形成されているため、データの記録済領域（記録トラックが形成されている領域）と未記録領域（記録トラックが形成されていない領域）とによって反射率が異なる影響を受ける。また、グルーブウォブリングや、ＬＰＰによっても反射率が影響を受ける。このように、レーザ光の反射率は、ディスク種別のみではなく、記録面の記録トラック、グルーブウォブリング、ＬＰＰなどの影響を受ける。
【００２４】
ＰＵヘッド２はコリメータレンズ、ビームスプリッタ、対物レンズを介してフォトディテクタでレーザ反射光を検出する。フォトディテクタは、例えば、ほぼ均等に４分割した受光領域で反射光を検出し、複数の受光領域それぞれの光量に従って電気信号を出力する。この複数の電気信号は加算処理することでＲＦ信号（全加算信号）を生成し、また減算処理することで差動信号を生成し、それぞれ再生処理部２０に出力する。
【００２５】
次に、再生処理部２０について説明する。再生処理部２０は、ＲＦ信号からは、光ディスク１００のデータ記録面の記録トラックによる反射率の変化を検出する。また、差動信号からは光ディスク１００のグルーブウォブリングとＬＰＰによる反射率の変化を検出する。
【００２６】
この再生処理部２０は、ＲＦ信号増幅回路３、ウォブル信号増幅回路６、ウォブル検出回路４、ＬＰＰ検出回路５、および図示していない再生回路を備えている。
【００２７】
ＲＦ信号増幅回路３には、ＰＵヘッド２のフォトディテクタで検出したＲＦ信号を入力する。これにより、ＲＦ信号増幅回路３は、ＲＦ信号を光ディスク１００の記録トラックの有無の検出に適した振幅レベルに増幅する。ＲＦ信号増幅回路３の出力信号は後段の再生回路に出力し、再生回路で光ディスク１００での記録トラックの有無に従った２値化を行う。この再生回路としては、一般的なデータ再生のための回路構成を用いればよくここでは詳細な説明を除く。
【００２８】
ウォブル信号増幅回路６には、ＰＵヘッド２のフォトディテクタで検出した差動信号を入力する。また、制御部３０が設定したゲイン設定信号を入力する。これにより、ウォブル信号増幅回路６は、ゲイン設定信号に従ったウォブルゲインで差動信号を増幅する。これによりウォブル信号増幅回路６の出力信号は、光ディスク１００のグルーブウォブリングとＬＰＰによる反射率の変化を検出するのに適正な振幅レベルになる。ウォブル信号増幅回路６の出力信号は、ウォブル検出回路４とＬＰＰ検出回路５に出力する。
【００２９】
ウォブル検出回路４はウォブル信号を抽出する。また、ＬＰＰ検出回路５はＬＰＰ信号を抽出する。このウォブル検出回路４およびＬＰＰ検出回路５としては、既知のウォブル検出およびＬＰＰ検出のための回路構成を用いればよくここでは説明を除く。ウォブル信号とＬＰＰ信号は、図示しない後段の再生回路に出力する。ウォブル信号は記録クロックを生成し、光ディスクの回転数を制御するために使用する。また、ＬＰＰ信号は記録クロックを生成し、アドレス情報を検出するために使用する。
【００３０】
次に、制御部３０について説明する。制御部３０は、図示していない信号処理ＬＳＩやメモリ、ＲＯＭなどで構成され各種信号処理を行う。
【００３１】
制御部３０は、光ディスク１００のディスク反射率の算出を行う。具体的には、レーザダイオードから照射するレーザ光が全反射されたときの光量信号の強度を基準に、実際に光ディスク１００から反射される光量信号の強度を求めてディスク反射率を算出する。次に、このディスク反射率を基に、ウォブルゲインテーブル１２からウォブルゲインを検出する。このウォブルゲインテーブル１２は予め不揮発性メモリなどに記憶されたものである。次に、検出したウォブルゲインからゲイン設定信号を生成する。このゲイン設定信号は、ウォブル信号増幅回路６に出力する。
【００３２】
このような構成により、光ディスク装置１では、簡易な構成で、光ディスク１００の反射率に基づいてウォブル信号増幅回路６の出力信号を適正な振幅レベルにできる。
【００３３】
また、ウォブル信号増幅回路６のウォブルゲインが、従来のように他の増幅回路の影響を受けることが無いので、ウォブル信号増幅回路６に他の増幅回路のノイズが加わることが無く、この点からもウォブル信号増幅回路６の出力信号を安定させることができる
次に、制御部３０での処理フローについて説明する。
図２は、光ディスク装置１の起動時もしくは光ディスク１００のマウント時の制御部３０での処理フローを示している。
制御部３０は、自装置１の起動もしくは光ディスク１００の挿入を検知すると、制御部３０でメモリに記録されているディスク情報の初期化、およびハードウェアリセットを行う。ハードウェアリセットとしては、例えばＰＵヘッド２の位置の初期化や光ディスク１００の駆動などを行う（Ｓ１）。
【００３４】
次に光ディスク１００のサイズの判別を行う（Ｓ２）。ここで、光ディスク１００が装填されていない場合には、「Ｎｏ  Ｄｉｓｃ」状態を検出し、表示部（不図示）に「Ｎｏ  Ｄｉｓｃ」表示を行い、処理を終了する（Ｓ４）。
【００３５】
ディスクサイズを判別した後は、ＣＤレーザダイオードをオンするとともに、ＰＵヘッド２を走査して光ディスク１００にレーザ光を照射し、反射光を検出してディスク反射率の検出などの各種測定を行い、測定結果をメモリに記録する。走査を終えるとＣＤレーザダイオードはオフする（Ｓ３）。
【００３６】
次に、ＤＶＤレーザダイオードをオンするとともに、ＰＵヘッド２を走査してディスクにレーザ光を照射し、反射光を検出してディスク反射率の検出などの各種測定を行い、測定結果をメモリに記録する。走査を終えるとＤＶＤレーザダイオードはオフする（Ｓ５）。
【００３７】
次に、ＲＯＭに記録されているディスク反射率からディスク種別を検出する。ここで、光ディスク１００が装置仕様に対応していないなど、ディスク種別を検出できない場合には、エラー表示およびイジェクト処理を行う。エラー表示およびイジェクト処理については、一般的な処理を用いればよくここでは詳述しない。（Ｓ６）。
【００３８】
ディスク種別がＣＤディスクの場合には、メモリのＣＤブロックレジスタを設定する。不揮発性メモリなどからウォブルゲインテーブル１２を読み出し、ディスク反射率に対応したウォブルゲインを検出する。このウォブルゲインはＣＤブロックレジスタに書き込んでおく（Ｓ７）。次に、ＣＤ再生処理に移行する。このＣＤ再生処理では、ＣＤブロックレジスタに書き込まれたウォブルゲインに基づいて、ウォブル信号増幅回路６にゲイン設定信号を出力する（Ｓ８）。
【００３９】
また、ディスク種別がＤＶＤディスクの場合には、メモリのＤＶＤブロックレジスタを設定する。不揮発性メモリなどからウォブルゲインテーブル１２を読み出し、ディスク反射率に対応したウォブルゲインを検出する。このウォブルゲインはＤＶＤブロックレジスタに書き込んでおく（Ｓ９）。次に、ＤＶＤ再生処理に移行する。このＤＶＤ再生処理では、ＤＶＤブロックレジスタに書き込まれたウォブルゲインに基づいて、ウォブル信号増幅回路６にゲイン設定信号を出力する（Ｓ１０）。
【００４０】
以上の処理のように制御部３０は、光ディスク装置１の起動時もしくは光ディスク１００の挿入時に、光ディスク１００の反射率を検出することで、再生時にウォブル信号増幅回路６にゲイン設定信号を出力する。
【００４１】
このようにして、光ディスク装置１ではＣＤおよびＤＶＤの再生を行う。また、光ディスク１００の種別検出で光ディスクの反射率を取得し、この反射率に応じたゲイン設定信号をウォブル信号増幅回路６に出力する。そのため、一度の反射率の取得で、光ディスク１００の種別検出とウォブルゲインの検出が行える。これにより、光ディスク１００のマウントが速やかになり、操作性を改善することができる。
【００４２】
なお、光ディスク１００は、ＣＤレーザダイオードと、ＤＶＤレーザダイオードとでそれぞれからのレーザ光に対する反射率が若干異なるが、光ディスク装置１の制御部３０でウォブル信号増幅回路６のゲイン設定信号を決定する場合には、いずれか一方の反射率を用いて、ウォブルゲインを検出し、ゲイン設定信号を決定すればよい。また、それぞれの反射率に基づき精緻にウォブルゲインを設定しておき、それぞれの反射率に基づきウォブルゲインを検出し、ゲイン設定信号を決定してもよい。
【図面の簡単な説明】
【００４３】
【図１】実施形態の光ディスク装置の概略構成を説明するブロック図である。
【図２】実施形態の光ディスク装置の処理を説明するフローチャートである。
【符号の説明】
【００４４】
１−光ディスク装置
２−ピックアップヘッド
３−ＲＦ信号増幅回路
４−ウォブル検出回路
５−ランドプリピット検出回路
６−ウォブル信号増幅回路
１２−ウォブルゲインテーブル
２０−再生処理部
３０−制御部
１００−光ディスク
【図１】
2007115333.tif 000003
【図２】
2007115333.tif 000004